(57)【要約】【課題】洗濯乾燥機の使用に応じて確実に自動運転するサニタリー換気システムを提供することを目的とする。【解決手段】制御手段１１ａを有する換気扇１ａと洗濯乾燥機２ａの操作制御部とを信号線３ａで接続し、制御手段１１ａは、洗濯乾燥機２ａの洗濯信号３ａもしくは乾燥信号３ｂによりファンモータ１２を駆動することで、洗濯乾燥機２ａの使用時に確実に連動して自動的に換気扇１ａが駆動され、サニタリー内を快適に保つことができる。【選択図】図２
2008190802.tif 000002
【特許請求の範囲】
【請求項１】
サニタリールーム内に設置した制御手段を有する換気扇と前記制御手段に接続された洗濯信号および乾燥信号を有する洗濯乾燥機とで構成され、前記制御手段は、前記洗濯信号もしくは前記乾燥信号により前記換気扇を駆動することを特徴とするサニタリー換気システム。
【請求項２】
前記換気扇と前記洗濯乾燥機と無線信号にて通信することを特徴とする請求項１記載のサニタリー換気システム。
【請求項３】
換気扇のファンモータの回転数を制御する速度制御手段を備え、前記制御手段は、洗濯信号と乾燥信号により換気扇のファンモータの回転数を規定する請求項１または２記載のサニタリー換気システム。
【請求項４】
サニタリールーム内の空気の温度を検出するサニタリールーム温度検出手段を備え、サニタリールーム内の空気の温度により換気扇のファンモータの回転数を制御する請求項１〜３のいずれかに記載のサニタリー換気システム。
【請求項５】
前記洗濯信号と前記乾燥信号がオフしても前記換気扇を所定時間駆動することを特徴とする請求項１〜４のいずれかに記載のサニタリー換気システム。
【請求項６】
所定時間は、前記洗濯信号と前記乾燥信号により、それぞれ個々に規定されるようにした請求項５記載のサニタリー換気システム。
【請求項７】
所定時間、換気扇のファンモータの回転数を規定するようにした請求項５または６記載のサニタリー換気システム。
【請求項８】
前記所定時間のうち前記洗濯信号と前記乾燥信号がオフしてから一定時間経過前後で換気扇のファンモータの回転数を規定するようにした請求項７記載のサニタリー換気システム。
【請求項９】
所定時間は、サニタリールーム内の空気の温度により、規定されるようにした請求項５〜８いずれかに記載のサニタリー換気システム。
【請求項１０】
換気スイッチを備え、前記換気スイッチの入力により換気ファンを強制停止できるようにした請求項１〜９いずれかに記載のサニタリー換気システム。
【請求項１１】
換気スイッチを備え、前記換気スイッチの入力により換気ファンを強制運転できるようにした請求項１〜９いずれかに記載のサニタリー換気システム。
【請求項１２】
換気スイッチと換気スイッチ設定切換え手段を備え、前記換気スイッチ設定切換え手段により前記換気スイッチの入力により換気ファンを強制停止させるか強制運転させるか、切換えできるようにした請求項１〜９いずれかに記載のサニタリー換気システム。
【発明の詳細な説明】
【技術分野】
【０００１】
本発明は、例えばサニタリールームに設置され、洗濯乾燥機の使用に確実に連動して換気動作を行うサニタリー換気システムおよびサニタリー換気扇に関わる。
【背景技術】
【０００２】
従来、サニタリールームの換気扇として、オフディレイタイマ機能を有する換気スイッチにより、サニタリー使用後に使用者がスイッチをオフにしても所定時間、換気扇を運転してサニタリールーム内の空気を排出することにより湿気を排気するものが用いられている。しかし、使用者が換気スイッチの操作を行わないと、換気扇が運転しないとか、切り忘れの場合は連続運転のまま、といった不都合点があった。そこで、サニタリールーム内を自動的に換気するものとして、例えば、特許文献１に示すようなものが提案されている。
【０００３】
特許文献１に示すものは、人体より発生する熱を検知する人体検知器を設け、入室を検知することにより換気扇を駆動し、退室を検知することにより所定時間残置運転させるものである。また、人体検知器の例として焦電型赤外線センサを用いることが記載されてしる。
【特許文献１】特許第２６０４７３８号公報
【発明の開示】
【発明が解決しようとする課題】
【０００４】
近年の乾燥機能付洗濯機の普及に伴い洗濯から乾燥までを自動でおこない乾燥まですべてサニタリールームにて行うケースが増えてきている。乾燥運転時には湿気および熱を排出することからサニタリールームの快適性を保つには換気扇による換気が不可欠になってきている。しかしながら特許文献１にみられるように換気扇の自動運転は人体検知一般的で、洗濯乾燥機の運転により自動運転できるものがなかった。
【０００５】
本発明は、このような従来の課題を解決するものであり、洗濯乾燥機使用時に確実に自動運転するサニタリー換気システムの提供を目的とする。
【課題を解決するための手段】
【０００６】
本発明のサニタリー換気システムは、前記課題を解決するために、サニタリールーム内に設置した制御手段を有する換気扇と制御手段に接続された洗濯信号および乾燥信号を有する洗濯乾燥機とで構成され、制御手段は、洗濯信号もしくは乾燥信号により換気扇を駆動することを特徴としている。
【０００７】
この手段により、洗濯および乾燥時に換気扇を確実に自動運転できる。
【０００８】
また、本発明のサニタリー換気システムおよびサニタリー換気扇は、前記課題を解決するために、換気扇と洗濯乾燥機と無線信号にて通信することを特徴としている。
【０００９】
また、本発明のサニタリー換気システムおよびサニタリー換気扇は、前記課題を解決するために、洗濯信号と乾燥信号により換気扇のファンモータの回転数を規定することを特徴としている。
【００１０】
この手段により、洗濯および乾燥時に応じた回転数にて換気扇を自動運転でき、適正な換気ができる。
【００１１】
また、本発明のサニタリー換気システムおよびサニタリー換気扇は、前記課題を解決するために、洗濯信号と乾燥信号およびサニタリールーム内の空気の温度により換気扇のファンモータの回転数を制御することを特徴としている。
【００１２】
この手段により、室内温度、洗濯および乾燥運転に応じた回転数にて換気扇を自動運転でき、快適なサニタリー空間を提供できる。
【００１３】
また、本発明のサニタリー換気システムおよびサニタリー換気扇は、前記課題を解決するために、洗濯信号と乾燥信号がオフしても換気扇を所定時間駆動することを特徴としている。
【００１４】
この手段により、洗濯および乾燥後の湿気および熱を換気することができ、快適なサニタリー空間を提供できる。
【００１５】
また、本発明のサニタリー換気システムおよびサニタリー換気扇は、前記課題を解決するために、洗濯信号と乾燥信号がオフしても換気扇を所定時間駆動し、洗濯信号と乾燥信号によりそれぞれ個々に所定時間を規定することを特徴としている。
【００１６】
この手段により、洗濯および乾燥後、必要な時間だけ換気をすることができる。
【００１７】
また、本発明のサニタリー換気システムおよびサニタリー換気扇は、前記課題を解決するために、洗濯信号と乾燥信号がオフしても換気扇を所定時間駆動している間の換気扇のファンモータの回転数を規定するようにしたことを特徴としている。
【００１８】
この手段により、洗濯および乾燥後の換気扇の駆動を必要に応じた回転数にすることができる。
【００１９】
また、本発明のサニタリー換気システムおよびサニタリー換気扇は、前記課題を解決するために、洗濯信号と乾燥信号がオフしてから一定時間経過前後で換気扇のファンモータの回転数を規定するようにしたことを特徴としている。
【００２０】
この手段により、洗濯および乾燥後、必要に応じた換気をすることができる。
【００２１】
また、本発明のサニタリー換気システムおよびサニタリー換気扇は、前記課題を解決するために、洗濯信号と乾燥信号がオフしても換気扇を所定時間駆動し、サニタリールーム内の空気の温度により、所定時間を規定することを特徴としている。
【００２２】
この手段により、洗濯および乾燥後、必要に応じた換気をすることができる。
【００２３】
また、本発明のサニタリー換気システムおよびサニタリー換気扇は、前記課題を解決するために、換気スイッチを備え、換気スイッチの入力により換気ファンを強制停止できるようにしたことを特徴としている。
【００２４】
この手段により、外出時など確実に換気扇を停止できる。
【００２５】
また、本発明のサニタリー換気システムおよびサニタリー換気扇は、前記課題を解決するために、換気スイッチを備え、換気スイッチの入力により換気ファンを強制運転できるようにしたことを特徴としている。
【００２６】
この手段により、換気扇を強制運転と自動運転で切換えて使用できる。
【００２７】
また、本発明のサニタリー換気システムおよびサニタリー換気扇は、前記課題を解決するために、換気スイッチと換気スイッチ設定切換え手段を備え、換気スイッチ設定切換え手段により換気スイッチの入力により換気ファンを強制停止させるか強制運転させるか、切換えできるようにしたことを特徴としている。
【００２８】
この手段により、使用する目的に応じた使い方ができる。
【発明の効果】
【００２９】
本発明によれば、洗濯乾燥機使用時に確実に自動運転するサニタリー換気システムを提供することができる。
【発明を実施するための最良の形態】
【００３０】
本発明の請求項１記載の発明のサニタリー換気システムは、サニタリールーム内に設置した制御手段を有する換気扇と制御手段に接続された洗濯信号および乾燥信号を有する洗濯乾燥機とで構成され、制御手段は、洗濯信号もしくは乾燥信号により換気扇を駆動することを特徴とすることを特徴とするものである。
【００３１】
この手段により、洗濯および乾燥時に換気扇を確実に自動運転できる。
【００３２】
本発明の請求項２記載の発明のサニタリー換気システムは、請求項１記載の発明において、換気扇と洗濯乾燥機と無線信号にて通信することを特徴としているものである。
【００３３】
この手段により、洗濯および乾燥時に換気扇を確実に自動運転できる。
【００３４】
本発明の請求項３記載の発明のサニタリー換気システムは、請求項１および２記載の発明において、洗濯信号と乾燥信号によりそれぞれ換気扇のファンモータの回転数を規定するようにしたことを特徴とするものである。
【００３５】
この手段により、洗濯および乾燥時に応じた回転数にて換気扇を自動運転でき、適正な換気ができる。
【００３６】
本発明の請求項４記載の発明のサニタリー換気システムは、請求項１〜３記載の発明において、サニタリールーム内の空気の温度により換気扇のファンモータの回転数を制御するようにしたことを特徴とするものである。
【００３７】
この手段により、室内温度、洗濯および乾燥運転に応じた回転数にて換気扇を自動運転でき、快適なサニタリー空間を提供できる。
【００３８】
本発明の請求項５記載の発明のサニタリー換気システムは、請求項１〜４記載の発明において、洗濯信号と乾燥信号がオフしても換気扇を所定時間駆動することを特徴としている。
【００３９】
この手段により、洗濯および乾燥後の湿気および熱を換気することができ、快適なサニタリー空間を提供できる。
【００４０】
本発明の請求項６記載の発明のサニタリー換気システムは、請求項５記載の発明において、洗濯信号と乾燥信号により、それぞれ個々に換気扇を所定時間駆動することを特徴としている。
【００４１】
この手段により、洗濯および乾燥後、必要な時間だけ換気をすることができる。
【００４２】
本発明の請求項７記載の発明のサニタリー換気システムは、請求項５および６記載の発明において、洗濯信号と乾燥信号がオフしても換気扇を所定時間駆動している間の換気扇のファンモータの回転数を規定するようにしたことを特徴としている。
【００４３】
この手段により、洗濯および乾燥後の換気扇の駆動を必要に応じた回転数にすることができる。
【００４４】
本発明の請求項８記載の発明のサニタリー換気システムは、請求項７記載の発明において、洗濯信号と乾燥信号がオフしてから一定時間経過前後で換気扇のファンモータの回転数を規定するようにしたことを特徴としている。
【００４５】
この手段により、洗濯および乾燥後、必要に応じた換気をすることができる。
【００４６】
本発明の請求項９記載の発明のサニタリー換気システムは、請求項５〜８記載の発明において、所定時間は、サニタリールーム内の空気の温度により、規定されるようにしたことを特徴としている。
【００４７】
この手段により、洗濯および乾燥後、必要に応じた換気をすることができる。
【００４８】
本発明の請求項１０記載の発明のサニタリー換気システムは、請求項１〜９記載の発明において、換気スイッチを備え、換気スイッチの入力により換気ファンを強制停止できるようにしたことを特徴としている。
【００４９】
この手段により、外出時など確実に換気扇を停止できる。
【００５０】
本発明の請求項１１記載の発明のサニタリー換気システムは、請求項１〜９記載の発明において、換気スイッチを備え、換気スイッチの入力により換気ファンを強制運転できるようにしたことを特徴としている。
【００５１】
この手段により、換気扇を強制運転と自動運転で切換えて使用できる。
【００５２】
本発明の請求項１２記載の発明のサニタリー換気システムは、請求項１〜９記載の発明において、換気スイッチと換気スイッチ設定切換え手段を備え、換気スイッチ設定切換え手段により換気スイッチの入力により換気ファンを強制停止させるか強制運転させるか、切換えできるようにしたことを特徴としている。
【００５３】
この手段により、使用する目的に応じた使い方ができる。
【００５４】
以下、本発明の実施の形態について図面を参照しながら説明する。
【００５５】
（実施の形態１）
図１は本発明の実施の形態１のサニタリー換気システムの構成の概要を示す斜視図である。換気扇１は洗濯乾燥機２と信号線３で接続されている。洗濯乾燥機２は、洗濯乾燥機本体４と操作制御部５とより構成されている。図２は、電気的な構成を示すブロック図である。
【００５６】
換気扇１ａはＣＰＵ（マイコン）で構成された制御手段１１ａとファンモータ１２とで構成され、洗濯乾燥機２ａは、ＣＰＵ２１ａに入力として接続された洗濯スイッチ２２と乾燥スイッチ２３と自動スイッチ２４、およびＣＰＵ２１ａに出力として接続された洗濯手段２５と乾燥手段２６で構成され、この換気扇１ａと洗濯乾燥機２ａは洗濯信号線３ａと乾燥信号線３ｂとで接続されている。
【００５７】
通常この種の洗濯乾燥機は、洗濯スイッチ２２を押すことにより、洗濯手段２５が動作するように構成されている。なお、洗濯手段２５は、洗濯物を入れる洗濯ドラム、洗濯ドラムを回転させるためのモーター、洗濯ドラム内に給水するための電磁弁、給水ノズルなどから構成されている（図示せず）。また、乾燥スイッチ２３を押すことにより、乾燥手段２６が動作するように構成されている。なお、乾燥手段２６は、洗濯物を入れる洗濯ドラム、洗濯ドラムを回転させるためのモーター、洗濯ドラム内を乾燥させるためのヒーター、ファンなどから構成されている（図示せず）。また、自動スイッチ２４を押すことにより、洗濯から乾燥までを洗濯手段２５および乾燥手段２６により自動的に動作するように構成されている。
【００５８】
図３は換気扇１ａ内に収納された制御手段１１ａの動作を示すフローチャートである。
【００５９】
Ｓ（ステップ）１において、洗濯信号３ａがＯＮすると、Ｓ２でファンモータ１２（換気扇）が駆動される。次にＳ３で洗濯信号３ａがＯＦＦの場合、Ｓ４でファンモータ１２（換気扇）を停止する。また、Ｓ１において、洗濯信号３ａがＯＦＦの場合、Ｓ５に移行して、乾燥信号３ｂがＯＮの場合、Ｓ６でファンモータ１２（換気扇）が駆動される。次にＳ７乾燥信号３ｂがＯＦＦの場合、Ｓ４でファンモータ１２（換気扇）を停止する。
【００６０】
以上の動作は、制御手段１１ａの内部のＲＡＭ、ＲＯＭ、カウンタなどが協働するプログラムの形態で実施される。
【００６１】
以上のように本発明のサニタリー換気システムは、洗濯乾燥機の洗濯時に出力する洗濯信号もしくは洗濯乾燥機の乾燥時に出力する乾燥信号により換気扇を駆動するようにしたものであり、洗濯乾燥機使用時に確実に連動して自動的に換気扇が駆動され、サニタリー内を快適に保つことができる。
【００６２】
また、洗濯信号線３ａおよび乾燥信号線３ｂはメタルワイヤである必要はなく、赤外線や電波を利用する無線方式であってよい。
【００６３】
（実施の形態２）
実施の形態１と同一部分は同一符号を付し詳細な説明は省略する。図４は本発明の実施の形態２のサニタリー換気システムの電気的な構成を示すブロック図である。
【００６４】
換気扇１ｂはＣＰＵで構成された制御手段１１ｂとファンモータ１２および速度制御手段１３とで構成されている。なお図２と同じ符号のものは同じ機能を有するものなので説明を省略する。
【００６５】
次に換気扇１ｂの制御手段１１ｂの動作を図５を用いて説明する。図５は制御手段１１ｂの動作を示すフローチャートである。
【００６６】
Ｓ１１において、洗濯信号３ａがＯＮすると、Ｓ１２でファンモータ１２（換気扇）が弱換気運転にて駆動される。次にＳ１３で洗濯信号３ａがＯＦＦの場合、Ｓ１４でファンモータ１２（換気扇）を停止する。Ｓ１１において、洗濯信号３ａがＯＦＦの場合、Ｓ１５に移行して、乾燥信号３ｂがＯＮの場合、Ｓ１６でファンモータ１２（換気扇）が通常換気運転にて駆動される。次にＳ１７で乾燥信号３ｂがＯＦＦの場合、Ｓ１４でファンモータ１２（換気扇）を停止する。これらの速度制御は速度制御手段１３によりファンモータ１２に印加される電圧を制御することで行われる。
【００６７】
以上の動作は、実施の形態１と同様に制御手段１１ｂの内部のＲＡＭ、ＲＯＭ、カウンタなどが協働するプログラムの形態で実施される。
【００６８】
以上のように本発明のサニタリー換気システムは、洗濯乾燥機の洗濯信号もしくは乾燥信号に応じて換気扇の速度を制御するようにしたものであり、洗濯乾燥機使用時に確実に連動して自動的に換気扇が駆動され、サニタリー内を快適に保つことができる。
【００６９】
また、洗濯信号線３ａおよび乾燥信号線３ｂはメタルワイヤである必要はなく、赤外線や電波を利用する無線方式であってもよい。
【００７０】
（実施の形態３）
実施の形態１、２と同一部分は同一符号を付し詳細な説明は省略する。図６は本発明の実施の形態３のサニタリー換気システムの電気的な構成を示すブロック図である。
【００７１】
換気扇１ｃはＣＰＵで構成された制御手段１１ｃとファンモータ１２、サニタリールーム温度検出手段１４および速度制御手段１３とで構成されている。なお図２と同じ符号のものは同じ機能を有するものなので説明を省略する。
【００７２】
次に換気扇１ｃの制御手段１１ｃの動作を図７を用いて説明する。図７は制御手段１１ｃの動作を示すフローチャートである。
【００７３】
Ｓ２１において、洗濯信号３ａがＯＮすると、Ｓ２２にてサニタリールーム温度が２５℃以上か否かを判別し２５℃以上の場合はＳ２３にてファンモータ１２（換気扇）が通常換気運転にて駆動され、２５℃未満の場合はＳ２４にてファンモータ１２（換気扇）が弱換気運転にて駆動される。次にＳ２５で洗濯信号３ａがＯＦＦの場合、Ｓ２６でファンモータ１２（換気扇）を停止する。
【００７４】
またＳ２１において、洗濯信号３ａがＯＦＦの場合、Ｓ２７に移行して、乾燥信号３ｂがＯＮの場合、Ｓ２８にてサニタリールーム温度が２５℃以上か否かを判別し２５℃以上の場合はＳ２９にてファンモータ１２（換気扇）が強換気運転にて駆動され、２５℃未満の場合はＳ２１０にてファンモータ１２（換気扇）が通常換気運転にて駆動される。次にＳ２１１で乾燥信号３ｂがＯＦＦの場合、Ｓ２６でファンモータ１２（換気扇）を停止する。これらの速度制御は速度制御手段１３によりファンモータ１２に印加される電圧を制御することで行われる。
【００７５】
以上の動作は、実施の形態１と同様に制御手段１１ｃの内部のＲＡＭ、ＲＯＭ、カウンタなどが協働するプログラムの形態で実施される。
【００７６】
以上のように本発明のサニタリー換気システムは、洗濯乾燥機の洗濯信号もしくは乾燥信号およびサニタリールーム温度に応じて換気扇の速度を制御するようにしたものであり、洗濯乾燥機使用時に確実に連動して自動的に換気扇が駆動され、サニタリー内を快適に保つことができる。
【００７７】
また、洗濯信号線３ａおよび乾燥信号線３ｂはメタルワイヤである必要はなく、赤外線や電波を利用する無線方式であってもよい。
【００７８】
（実施の形態４）
実施の形態１乃至３と同一部分は同一符号を付し詳細な説明は省略する。図８は換気扇１ａ内に収納された制御手段１１ａの動作を示すフローチャートである。Ｓ３１において、洗濯信号３ａがＯＮすると、Ｓ３２でファンモータ１２（換気扇）が駆動される。Ｓ３１において、洗濯信号３ａがＯＦＦの場合、Ｓ３７に移行して、乾燥信号３ｂがＯＮの場合、Ｓ３８でファンモータ１２（換気扇）が駆動される。
【００７９】
次にＳ３３、Ｓ３９で洗濯信号３ａおよび乾燥信号３ｂがともにＯＦＦの場合、Ｓ３４で残置運転のためのタイマ（制御手段１１ａに内蔵）を駆動する。タイマカウントが進行しＳ３５でタイマ時限に達するとＳ３６でファンモータ１２（換気扇）を停止する。
【００８０】
以上の動作は、制御手段１１ａの内部のＲＡＭ、ＲＯＭ、カウンタなどが協働するプログラムの形態で実施される。
【００８１】
以上のように本発明のサニタリー換気システムは、洗濯乾燥機の洗濯信号もしくは乾燥信号により換気扇を駆動するようにしたものであり、洗濯乾燥機使用時に確実に連動して自動的に換気扇が駆動され、洗濯および乾燥後の湿気および熱をも換気することができ、快適なサニタリー空間を提供できる。
【００８２】
（実施の形態５）
実施の形態１乃至４と同一部分は同一符号を付し詳細な説明は省略する。次に換気扇１ａの制御手段１１ａの動作を図９を用いて説明する。図９は換気扇１ａ内に収納された制御手段１１ａの動作を示すフローチャートである。
【００８３】
Ｓ４１において、洗濯信号３ａがＯＮすると、Ｓ４２でファンモータ１２（換気扇）が駆動される。次にＳ４３で洗濯信号３ａがＯＦＦの場合、Ｓ４４で残置運転のためのタイマ（制御手段１１ａに内蔵）を駆動する。タイマカウントが進行しＳ４５でタイマ時限に達するとＳ４６でファンモータ１２（換気扇）を停止する。Ｓ４１において、洗濯信号３ａがＯＦＦの場合、Ｓ４７に移行して、乾燥信号３ｂがＯＮの場合、Ｓ４８でファンモータ１２（換気扇）が駆動される。次にＳ４９で乾燥信号３ｂがＯＦＦの場合、Ｓ４１０で残置運転のためのタイマ（制御手段１１ａに内蔵）を駆動する。タイマカウントが進行しＳ４５でタイマ時限に達するとＳ４６でファンモータ１２（換気扇）を停止する。
【００８４】
以上の動作は、制御手段１１ａの内部のＲＡＭ、ＲＯＭ、カウンタなどが協働するプログラムの形態で実施される。
【００８５】
以上のように本発明のサニタリー換気システムは、洗濯乾燥機の洗濯信号もしくは乾燥信号により換気扇を駆動するようにしたものであり、洗濯乾燥機使用時に確実に連動して自動的に換気扇が駆動され、洗濯および乾燥後の湿気および熱をも換気することができ、快適なサニタリー空間を提供できる。
【００８６】
（実施の形態６）
実施の形態１乃至５と同一部分は同一符号を付し詳細な説明は省略する。次に換気扇１ｂの制御手段１１ｂの動作を図１０を用いて説明する。図１０は換気扇１ｂ内に収納された制御手段１１ｂの動作を示すフローチャートである。
【００８７】
Ｓ５１において、洗濯信号３ａがＯＮすると、Ｓ５２でファンモータ１２（換気扇）が通常換気運転にて駆動される。次にＳ５３で洗濯信号３ａがＯＦＦの場合、Ｓ５４でファンモータ１２（換気扇）が弱換気運転にきりかえる。Ｓ５５で残置運転のためのタイマ（制御手段１１ｂに内蔵）を駆動する。タイマカウントが進行しＳ５６でタイマ時限に達するとＳ５７でファンモータ１２（換気扇）を停止する。Ｓ５１において、洗濯信号３ａがＯＦＦの場合、Ｓ５８に移行して、乾燥信号３ｂがＯＮの場合、Ｓ５９でファンモータ１２（換気扇）が通常換気運転にて駆動される。次にＳ５１０で乾燥信号３ｂがＯＦＦの場合、Ｓ５４で残置運転のためのタイマ（制御手段１１ｂに内蔵）を駆動する。タイマカウントが進行しＳ５６でタイマ時限に達するとＳ５７でファンモータ１２（換気扇）を停止する。
【００８８】
以上の動作は、制御手段１１ｂの内部のＲＡＭ、ＲＯＭ、カウンタなどが協働するプログラムの形態で実施される。
【００８９】
以上のように本発明のサニタリー換気システムは、洗濯乾燥機の洗濯信号もしくは乾燥信号により換気扇を駆動するようにしたものであり、洗濯乾燥機使用時に確実に連動して自動的に換気扇が駆動され、洗濯および乾燥後の湿気および熱をも換気することができ、快適なサニタリー空間を提供できる。
【００９０】
（実施の形態７）
実施の形態１乃至６と同一部分は同一符号を付し詳細な説明は省略する。次に換気扇１ｂの制御手段１１ｂの動作を図１１を用いて説明する。図１１は換気扇１ｂ内に収納された制御手段１１ｂの動作を示すフローチャートである。
【００９１】
Ｓ６１において、洗濯信号３ａがＯＮすると、Ｓ６２でファンモータ１２（換気扇）が通常換気運転にて駆動される。次にＳ６３で洗濯信号３ａがＯＦＦの場合、Ｓ６４で残置運転のためのタイマｔ３（制御手段１１ｂに内蔵）を駆動する。タイマカウントが進行しＳ６５でタイマ時限に達するとＳ６６でファンモータ１２（換気扇）を弱換気運転にきりかえる。次にＳ６７で残置運転のためのタイマｔ４（制御手段１１ｂに内蔵）を駆動する。タイマカウントが進行しＳ６８でタイマ時限に達するとＳ６９でファンモータ１２（換気扇）を停止する。Ｓ６１において、洗濯信号３ａがＯＦＦの場合、Ｓ６１０に移行して、乾燥信号３ｂがＯＮの場合、Ｓ６１１でファンモータ１２（換気扇）が通常換気運転にて駆動される。次にＳ６１２で乾燥信号３ｂがＯＦＦの場合、Ｓ６４で残置運転のためのタイマｔ３（制御手段１１ｂに内蔵）を駆動する。タイマカウントが進行しＳ６５でタイマ時限に達するとＳ６６でファンモータ１２（換気扇）を弱換気運転にきりかえる。次にＳ６７で残置運転のためのタイマｔ４（制御手段１１ｂに内蔵）を駆動する。タイマカウントが進行しＳ６８でタイマ時限に達するとＳ６９でファンモータ１２（換気扇）を停止する。
【００９２】
以上の動作は、制御手段１１ｂの内部のＲＡＭ、ＲＯＭ、カウンタなどが協働するプログラムの形態で実施される。
【００９３】
以上のように本発明のサニタリー換気システムは、洗濯乾燥機の洗濯信号もしくは乾燥信号により換気扇を駆動するようにしたものであり、洗濯乾燥機使用時に確実に連動して自動的に換気扇が駆動され、洗濯および乾燥後の湿気および熱をも換気することができ、快適なサニタリー空間を提供できる。
【００９４】
（実施の形態８）
実施の形態１乃至７と同一部分は同一符号を付し詳細な説明は省略する。次に換気扇１ｃの制御手段１１ｃの動作を図１２を用いて説明する。図１２は換気扇１ｃ内に収納された制御手段１１ｃの動作を示すフローチャートである。
【００９５】
Ｓ７１において、洗濯信号３ａがＯＮすると、Ｓ７２にてファンモータ１２（換気扇）が駆動される。次にＳ７３で洗濯信号３ａがＯＦＦの場合、Ｓ７４でサニタリールーム温度が２５℃以上か否かを判別し２５℃以上の場合はＳ７５にて残置運転のためのタイマｔ５（制御手段１１ｃに内蔵）を駆動し、２５℃未満の場合はＳ７６にて残置運転のためのタイマｔ６（制御手段１１ｃに内蔵）を駆動する。タイマカウントが進行しＳ７７でタイマ時限に達するとＳ７８でファンモータ１２（換気扇）を停止する。
【００９６】
Ｓ７１において、洗濯信号３ａがＯＦＦの場合、Ｓ７９に移行して、乾燥信号３ｂがＯＮの場合、Ｓ７１０でファンモータ１２（換気扇）が駆動される。次にＳ７１１で乾燥信号３ｂがＯＦＦの場合、Ｓ７４でサニタリールーム温度が２５℃以上か否かを判別し２５℃以上の場合はＳ７５にて残置運転のためのタイマｔ５（制御手段１１ｃに内蔵）を駆動し、２５℃未満の場合はＳ７６にて残置運転のためのタイマｔ６（制御手段１１ｃに内蔵）を駆動する。タイマカウントが進行しＳ７７でタイマ時限に達するとＳ７８でファンモータ１２（換気扇）を停止する。
【００９７】
以上の動作は、制御手段１１ｃの内部のＲＡＭ、ＲＯＭ、カウンタなどが協働するプログラムの形態で実施される。
【００９８】
以上のように本発明のサニタリー換気システムは、洗濯乾燥機の洗濯信号もしくは乾燥信号により換気扇を駆動するようにしたものであり、洗濯乾燥機使用時に確実に連動して自動的に換気扇が駆動され、洗濯および乾燥後の湿気および熱をも換気することができ、快適なサニタリー空間を提供できる。
【００９９】
（実施の形態９）
実施の形態１乃至８と同一部分は同一符号を付し詳細な説明は省略する。図１３は本実施の形態のサニタリー換気システムの電気的な構成を示すブロック図である。
【０１００】
換気扇１ｄはＣＰＵで構成された制御手段１１ｄとファンモータ１２およびスイッチ１５とで構成されている。なお図２と同じ符号のものは同じ機能を有するものなので説明を省略する。
【０１０１】
次に換気扇１ｄの制御手段１１ｄの動作を図１４を用いて説明する。図１４は制御手段１１ｄの動作を示すフローチャートである。
【０１０２】
Ｓ８１において、スイッチ１５がＯＮの場合Ｓ８２にてファンモータ１２（換気扇）が駆動される。次にＳ８３にてスイッチ１５がＯＦＦの場合Ｓ８４にてファンモータ１２（換気扇）を停止する。Ｓ８１において、スイッチ１５がＯＦＦの場合Ｓ８５に移行する。Ｓ８５にて、洗濯信号３ａがＯＮすると、Ｓ８６でファンモータ１２（換気扇）が駆動される。次にＳ８７で洗濯信号３ａがＯＦＦの場合、Ｓ８４でファンモータ１２（換気扇）を停止する。また、Ｓ８５において、洗濯信号３ａがＯＦＦの場合、Ｓ８８に移行して、乾燥信号３ｂがＯＮの場合、Ｓ８９でファンモータ１２（換気扇）が駆動される。次にＳ８１０で乾燥信号３ｂがＯＦＦの場合、Ｓ８４でファンモータ１２（換気扇）を停止する。
【０１０３】
以上の動作は、制御手段１１ｄの内部のＲＡＭ、ＲＯＭ、カウンタなどが協働するプログラムの形態で実施される。
【０１０４】
以上のように本発明のサニタリー換気システムは、スイッチにより換気扇の強制運転と洗濯乾燥機の洗濯信号もしくは乾燥信号による換気扇の自動運転をきりかえ可能にしたものであり、使用するケースに応じた換気の運転ができ、快適なサニタリー空間を提供できる。
【０１０５】
（実施の形態１０）
実施の形態１乃至９と同一部分は同一符号を付し詳細な説明は省略する。次に換気扇１ｄの制御手段１１ｄの動作を図１５を用いて説明する。図１５は換気扇１ｄ内に収納された制御手段１１ｄの動作を示すフローチャートである。
【０１０６】
Ｓ９１において、スイッチ１５がＯＮの場合Ｓ９２へ移行し洗濯信号３ａがＯＮすると、Ｓ９３でファンモータ１２（換気扇）が駆動される。次にＳ９４で洗濯信号３ａがＯＦＦの場合、Ｓ９５でファンモータ１２（換気扇）を停止する。
【０１０７】
次にＳ９２にて洗濯信号３ａがＯＦＦの場合、Ｓ９６に移行して、乾燥信号３ｂがＯＮの場合、Ｓ９７でファンモータ１２（換気扇）が駆動される。次にＳ９８で乾燥信号３ｂがＯＦＦの場合、Ｓ９５でファンモータ１２（換気扇）を停止する。
【０１０８】
以上の動作は、制御手段１１ｄの内部のＲＡＭ、ＲＯＭ、カウンタなどが協働するプログラムの形態で実施される。
【０１０９】
以上のように本発明のサニタリー換気システムは、スイッチにより換気扇の強制停止と洗濯乾燥機の洗濯信号もしくは乾燥信号による換気扇の自動運転をきりかえ可能にしたものであり、使用するケースに応じた換気の運転ができ、快適なサニタリー空間を提供できる。
【０１１０】
（実施の形態１１）
実施の形態１乃至１０と同一部分は同一符号を付し詳細な説明は省略する。図１６は本実施の形態のサニタリー換気システムの電気的な構成を示すブロック図である。
【０１１１】
換気扇１ｅはＣＰＵで構成された制御手段１１ｅとファンモータ１２および切換え手段１６とで構成されている。なお図２と同じ符号のものは同じ機能を有するものなので説明を省略する。
【０１１２】
次に換気扇１ｅの制御手段１１ｅの動作を図１７を用いて説明する。図１７は制御手段１１ｅの動作を示すフローチャートである。
【０１１３】
Ｓ１０１において、切換え手段１６がＯＮの場合Ｓ１０２に移行しスイッチ１５がＯＮの場合Ｓ１０３にてファンモータ１２（換気扇）が駆動される。次にＳ１０４にてスイッチ１５がＯＦＦの場合Ｓ１０５にてファンモータ１２（換気扇）を停止する。Ｓ１０１において、切換え手段１６がＯＦＦの場合Ｓ１０９に移行しスイッチ１５がＯＮの場合Ｓ１０６に移行する。Ｓ１０６にて、洗濯信号３ａがＯＮすると、Ｓ１０７でファンモータ１２（換気扇）が駆動される。次にＳ１０８で洗濯信号３ａがＯＦＦの場合、Ｓ１０５でファンモータ１２（換気扇）を停止する。また、Ｓ１０６において、洗濯信号３ａがＯＦＦの場合、Ｓ１０１０に移行して、乾燥信号３ｂがＯＮの場合、Ｓ１０１１でファンモータ１２（換気扇）が駆動される。次にＳ１０１２で乾燥信号３ｂがＯＦＦの場合、Ｓ１０５でファンモータ１２（換気扇）を停止する。
【０１１４】
以上の動作は、制御手段１１ｅの内部のＲＡＭ、ＲＯＭ、カウンタなどが協働するプログラムの形態で実施される。
【０１１５】
以上のように本発明のサニタリー換気システムは、切換え手段によりスイッチによる動作を変更でき、換気扇の強制運転、強制停止と洗濯乾燥機の洗濯信号もしくは乾燥信号による換気扇の自動運転を自由にきりかえ可能にしたものであり、使用するケースに応じた換気の運転ができ、快適なサニタリー空間を提供できる。
【産業上の利用可能性】
【０１１６】
本発明のサニタリー換気システムおよびサニタリー換気扇は、サニタリーの使用に確実に連動して自動運転するものであり、学校、病院などの公共施設やホテル、旅館など業務用の設備としての用途などにも適用できる。
【図面の簡単な説明】
【０１１７】
【図１】本発明の実施の形態１のサニタリー換気システムの構成の概要を示す斜視図
【図２】同、電気的な構成を示すブロック図
【図３】同、動作を示すフローチャート
【図４】本発明の実施の形態２のサニタリー換気システム電気的な構成を示すブロック図
【図５】同、動作を示すフローチャート
【図６】本発明の実施の形態３のサニタリー換気システム電気的な構成を示すブロック図
【図７】同、動作を示すフローチャート
【図８】本発明の実施の形態４のサニタリー換気システムの動作を示すフローチャート
【図９】本発明の実施の形態５のサニタリー換気システムの動作を示すフローチャート
【図１０】本発明の実施の形態６のサニタリー換気システムの動作を示すフローチャート
【図１１】本発明の実施の形態７のサニタリー換気システムの動作を示すフローチャート
【図１２】本発明の実施の形態８のサニタリー換気システムの動作を示すフローチャート
【図１３】本発明の実施の形態９のサニタリー換気システム電気的な構成を示すブロック図
【図１４】同、動作を示すフローチャート
【図１５】本発明の実施の形態１０のサニタリー換気システムの動作を示すフローチャート
【図１６】本発明の実施の形態１１のサニタリー換気システム電気的な構成を示すブロック図
【図１７】同、動作を示すフローチャート
【符号の説明】
【０１１８】
１、１ａ、１ｂ、１ｃ、１ｄ、１ｅ  換気扇
２，２ａ  洗濯乾燥機
３    信号線
３ａ  洗濯信号線
３ｂ  乾燥信号線
４    洗濯乾燥機本体
５    操作制御部
１１ａ、１１ｂ、１１ｃ、１１ｄ、１１ｅ  制御手段
１２  ファンモータ
１３  速度制御手段
１４  サニタリールーム温度検出手段
１５  スイッチ
１６  切換え手段
２２  洗濯スイッチ
２３  乾燥スイッチ
２４  自動スイッチ
２５  洗濯手段
２６  乾燥手段
【図１】
2008190802.tif 000003
【図２】
2008190802.tif 000004
【図３】
2008190802.tif 000005
【図４】
2008190802.tif 000006
【図５】
2008190802.tif 000007
【図６】
2008190802.tif 000008
【図７】
2008190802.tif 000009
【図８】
2008190802.tif 000010
【図９】
2008190802.tif 000011
【図１０】
2008190802.tif 000012
【図１１】
2008190802.tif 000013
【図１２】
2008190802.tif 000014
【図１３】
2008190802.tif 000015
【図１４】
2008190802.tif 000016
【図１５】
2008190802.tif 000017
【図１６】
2008190802.tif 000018
【図１７】
2008190802.tif 000019